(57)【要約】【課題】  防犯レンズに組込まれているレンズの曇りを防止し、新たな環境条件に合致させることができる防犯レンズを提供すること。【解決手段】  防犯レンズＡは、ダブルドアのドア板３、４に形成された取付孔３０、４０を介して螺合される第１の筒状体（内筒１）及び第２の筒状体（外筒２）と、前記内筒１に設けられ、且つ、室外側から前記取付孔３０に嵌合される嵌合部１３と、この嵌合部１３の室外側に形成された室外側フランジ部１０と、前記嵌合部１３の室内側に形成された雄ねじ部１０Ｂと、内筒１に配置されるレンズ系（レンズ１２０、１２１、１２２及び１２３）と、前記レンズ１２０、１２１とレンズ１２２によって区間される空間１６に連通される孔１７と、この孔１７を封止する封止部１７Ａと、前記空間１６に封止される防曇用のガス体１９を備えている。【選択図】        図１
2008019551.tif 000002
【特許請求の範囲】
【請求項１】
ドアに設けられた取付孔を介して取付けられる第１の筒状体及び第２の筒状体とからなる防犯レンズにおいて、
前記第１の筒状体は、前記取付孔に嵌合される嵌合部と、この嵌合部の室外側に形成される室外側フランジ部と、その内部に配置されるレンズ系と、このレンズ系によって区間される空間に連通される孔と、この孔を封止する封止部と、前記空間に封止される防曇用のガス体を備えたことを特徴とする防犯レンズ。
【請求項２】
前記室外側フランジ部の凹部に弾性シーリング材を配置することを特徴とする請求項１に記載の防犯レンズ。
【請求項３】
前記室外側フランジ部の凹部に配置されるレンズとキャップ間に弾性シーリング材を配置することを特徴とする請求項１に記載の防犯レンズ。
【請求項４】
少なくとも前記キャップに塗膜を形成したことを特徴とする請求項３に記載の防犯レンズ。
【請求項５】
前記室外側フランジ部と前記ドア間に防水リングを配置することを特徴とする請求項１に記載の防犯レンズ。
【請求項６】
前記室外側フランジ部の厚さを約１ミリメートル〜約１．５ミリメートル程度に形成すると共に、前記レンズ系の対物レンズの入射面が前記室外側フランジ部の表面と略面一に配置されていることを特徴とする請求項１に記載の防犯レンズ。
【請求項７】
第２の筒状体の室内側端部に取付けられる取付枠と、この取付枠に螺着されるネジ材と、このネジ材を介して取付けられ、かつ、引寄せ可能なカバーを備えていることを特徴とする請求項１に記載の防犯レンズ。
【請求項８】
前記室外側フランジ部と前記ドア間に第１の空転リング及びこの第１の空転リングを空転させる第２の空転リングを配置すると共に、前記第１の空転リングにフック部を設けたことを特徴とする請求項１に記載の防犯レンズ。
【請求項９】
前記室外側フランジ部と前記ドア間に空転リングを配置すると共に、この空転リングを空転させる空転リング部を前記嵌合部に形成し、且つ、前記空転リングにフック部を設けたことを特徴とする請求項１に記載の防犯レンズ。
【請求項１０】
前記室外側フランジ部と前記ドア間に第１の空転リング及びこの第１の空転リングを空転させる第２の空転リングを配置すると共に、前記第１の空転リングにフック部及びプレート部を設けたことを特徴とする請求項１に記載の防犯レンズ。
【請求項１１】
前記室外側フランジ部と前記ドア間に空転リングを配置すると共に、この空転リングを空転させる空転リング部を前記嵌合部に形成し、且つ、前記空転リングにフック部及びプレート部を設けたことを特徴とする請求項１に記載の防犯レンズ。
【請求項１２】
前記室外側フランジ部と前記ドア間に第１の空転リング及びこの第１の空転リングを空転させる第２の空転リングを配置すると共に、前記第１の空転リングに装飾部を設けたことを特徴とする請求項１に記載の防犯レンズ。
【請求項１３】
前記室外側フランジ部と前記ドア間に空転リングを配置すると共に、この空転リングを空転させる空転リング部を前記嵌合部に形成し、且つ、前記空転リングに装飾部を設けたことを特徴とする請求項１に記載の防犯レンズ。
【請求項１４】
前記室外側フランジ部と前記ドア間に第１の空転リング及びこの第１の空転リングを空転させる第２の空転リングを配置すると共に、前記第１の空転リングに装飾部及びフック部を設けたことを特徴とする請求項１に記載の防犯レンズ。
【請求項１５】
前記室外側フランジ部と前記ドア間に空転リングを配置すると共に、この空転リングを空転させる空転リング部を前記嵌合部に形成し、且つ、前記空転リングに装飾部及びフック部を設けたことを特徴とする請求項１に記載の防犯レンズ。
【請求項１６】
前記室外側フランジ部と前記ドア間に第１の空転リング及びこの第１の空転リングを空転させる第２の空転リングを配置すると共に、前記第１の空転リングにプレート部を設けたことを特徴とする請求項１に記載の防犯レンズ。
【請求項１７】
前記室外側フランジ部と前記ドア間に空転リングを配置すると共に、この空転リングを空転させる空転リング部を前記嵌合部に形成し、且つ、前記空転リングにプレート部を設けたことを特徴とする請求項１に記載の防犯レンズ。
【請求項１８】
前記室外側フランジ部と前記ドア間に第１の空転リング及びこの第１の空転リングを空転させる第２の空転リングを配置すると共に、前記第１の空転リングに装飾部及びプレート部を設けたことを特徴とする請求項１に記載の防犯レンズ。
【請求項１９】
前記室外側フランジ部と前記ドア間に空転リングを配置すると共に、この空転リングを空転させる空転リング部を前記嵌合部に形成し、且つ、前記空転リングに装飾部及びプレート部を設けたことを特徴とする請求項１に記載の防犯レンズ。
【発明の詳細な説明】
【技術分野】
【０００１】
本発明は、ドアに取り付けられ、室内から外部の様子を広範囲にわたって観察することができる防犯レンズに関し、特に設置環境に応じて各種機能を付加可能な防犯レンズに関する。
【背景技術】
【０００２】
ドアを施錠したまま、室内から訪問者の様子を観察できる防犯レンズは、今日の防犯意識の高まりと共に、その重要性を増している。
【０００３】
その期待に答えるため出願人は防犯レンズのトップメーカーとして、各種防犯レンズを開発し、製造している（特許文献１〜特許文献５）。
【特許文献１】特開２０００−２９７５８３
【特許文献２】特開２００２−３０８７５
【特許文献３】特開２００４−８４１９７
【特許文献４】特開２００４−１００４５５
【特許文献５】特開２００６−１６９５０
【発明の開示】
【発明が解決しようとする課題】
【０００４】
しかし一方で、防犯レンズの重要性が増すにつれて、これが設置され、使用される環境や地域も変化し拡大し、新たな環境条件での仕様態様が求められ、そこに新たな技術的な課題が発生する。
【０００５】
今日の技術的課題は、第１に室外と室内の温度差が大きい場合に生じ易いレンズの曇り対策（防曇対策）である。このような事象は特に寒冷地等で発生し易い。
第２に塩分が付着する場合に生じ易い塩害への対策（塩害対策）である。このような事象は特に海岸地域等で発生し易い。
第３にドアに設けた防犯レンズの取付孔からドアの内部に浸入するおそれがある雨水等及び防犯レンズ自体に対する防水対策である。
第４に防犯レンズが不審者により室外側から取外されてしまう危険性への対策（回止対策）である。これは、特許文献１に開示した取外防止のための回止機構を補完できるものである。
第５に防犯レンズを通じて室外から室内の様子を伺う不審者に対する対策（裏蓋対策）である。
これは、特許文献４及び５に開示した裏蓋機構を更に充実させるものである。
【０００６】
本願発明は、上記第１〜第５の各課題を解決することにより、設定環境、使用環境に応じて各種機能を付加することができる防犯レンズの提供を目的とする。
【課題を解決するための手段】
【０００７】
この目的を達成するため、ドアに設けられた取付孔を介して取付けられる第１の筒状体及び第２の筒状体とからなる防犯レンズにおいて、前記第１の筒状体は、前記取付孔に嵌合される嵌合部と、この嵌合部の室外側に形成される室外側フランジ部と、その内部に配置されるレンズ系と、このレンズ系によって区間される空間に連通される孔と、この孔を封止する封止部と、前記空間に封止される防曇用のガス体を備えたことを特徴とする防犯レンズとした（請求項１に記載の発明）。
【０００８】
上記発明において前記室外側フランジ部の凹部に弾性シーリング材を配置することを特徴とする防犯レンズである（請求項２に記載の発明）。
また上記発明において前記室外側フランジ部の凹部に配置されるレンズとキャップ間に弾性シーリング材を配置することを特徴とする防犯レンズである（請求項３に記載の発明）。
【０００９】
上記発明において少なくとも前記キャップに塗膜を形成したことを特徴とする防犯レンズである（請求項４に記載の発明）。
【００１０】
上記発明において前記室外側フランジ部と前記ドア間に防水リングを配置することを特徴とする防犯レンズである（請求項５に記載の発明）。
【００１１】
上記発明において前記室外側フランジ部の厚さを約１ミリメートル〜約１．５ミリメートル程度に形成すると共に、前記レンズ系の対物レンズの入射面が前記室外側フランジ部の表面と略面一に配置されていることを特徴とする防犯レンズである（請求項６に記載の発明）。
【００１２】
上記発明において第２の筒状体の室内側端部に取り付けられる取付枠と、この取付枠に螺着されるネジ材と、このネジ材を介して取付けられ、かつ、引寄せ可能なカバーを備えていることを特徴とする防犯レンズである（請求項７に記載の発明）。
【００１３】
前記室外側フランジ部と前記ドア間に第１の空転リング及びこの第１の空転リングを空転させる第２の空転リングを配置すると共に、前記第１の空転リングにフック部を設けたことを特徴とする請求項１に記載の防犯レンズである（請求項８に記載の発明）。
【００１４】
前記室外側フランジ部と前記ドア間に空転リングを配置すると共に、この空転リングを空転させる空転リング部を前記嵌合部に形成し、且つ、前記空転リングにフック部を設けたことを特徴とする請求項１に記載の防犯レンズある（請求項９に記載の発明）。
【００１５】
前記室外側フランジ部と前記ドア間に第１の空転リング及びこの第１の空転リングを空転させる第２の空転リングを配置すると共に、前記第１の空転リングにフック部及びプレート部を設けたことを特徴とする請求項１に記載の防犯レンズある（請求項１０に記載の発明）。
【００１６】
前記室外側フランジ部と前記ドア間に空転リングを配置すると共に、この空転リングを空転させる空転リング部を前記嵌合部に形成し、且つ、前記空転リングにフック部及びプレート部を設けたことを特徴とする請求項１に記載の防犯レンズある（請求項１１に記載の発明）。
【００１７】
前記室外側フランジ部と前記ドア間に第１の空転リング及びこの第１の空転リングを空転させる第２の空転リングを配置すると共に、前記第１の空転リングに装飾部を設けたことを特徴とする請求項１に記載の防犯レンズある（請求項１２に記載の発明）。
【００１８】
前記室外側フランジ部と前記ドア間に空転リングを配置すると共に、この空転リングを空転させる空転リング部を前記嵌合部に形成し、且つ、前記空転リングに装飾部を設けたことを特徴とする請求項１に記載の防犯レンズある（請求項１３に記載の発明）。
【００１９】
前記室外側フランジ部と前記ドア間に第１の空転リング及びこの第１の空転リングを空転させる第２の空転リングを配置すると共に、前記第１の空転リングに装飾部及びフック部を設けたことを特徴とする請求項１に記載の防犯レンズある（請求項１４に記載の発明）。
【００２０】
前記室外側フランジ部と前記ドア間に空転リングを配置すると共に、この空転リングを空転させる空転リング部を前記嵌合部に形成し、且つ、前記空転リングに装飾部及びフック部を設けたことを特徴とする請求項１に記載の防犯レンズある（請求項１５に記載の発明）。
【００２１】
前記室外側フランジ部と前記ドア間に第１の空転リング及びこの第１の空転リングを空転させる第２の空転リングを配置すると共に、前記第１の空転リングにプレート部を設けたことを特徴とする請求項１に記載の防犯レンズある（請求項１６に記載の発明）。
【００２２】
前記室外側フランジ部と前記ドア間に空転リングを配置すると共に、この空転リングを空転させる空転リング部を前記嵌合部に形成し、且つ、前記空転リングにプレート部を設けたことを特徴とする請求項１に記載の防犯レンズある（請求項１７に記載の発明）。
【００２３】
前記室外側フランジ部と前記ドア間に第１の空転リング及びこの第１の空転リングを空転させる第２の空転リングを配置すると共に、前記第１の空転リングに装飾部及びプレート部を設けたことを特徴とする請求項１に記載の防犯レンズある（請求項１８に記載の発明）。
【００２４】
前記室外側フランジ部と前記ドア間に空転リングを配置すると共に、この空転リングを空転させる空転リング部を前記嵌合部に形成し、且つ、前記空転リングに装飾部及びプレート部を設けたことを特徴とする請求項１に記載の防犯レンズある（請求項１９に記載の発明）。
【発明の効果】
【００２５】
本発明の防犯レンズによれば、レンズ系によって区間される空間に封止された防曇用のガス体により、レンズの曇りを防止することができる。
この防曇効果の発明に加えて、防水対策、塩害対策、回止対策、裏蓋対策等、設定環境、使用環境に応じて各種機能を付加することができる防犯レンズを提供することができる。
【発明を実施するための最良の形態】
【００２６】
本発明に係る防犯レンズの実施形態を図面に基づいて詳細に説明する。
（第１実施形態／防曇対策）
図１は第１実施形態に係る防犯レンズの縦中央片面断面図、図２は同防犯レンズの分解斜視図である。
なお、これらの各図及び以下に説明する各図において、同一の構成は同一の符号を付して詳細な説明を省略する。
【００２７】
第１実施形態に係る防犯レンズＡは、ダブルドアのドア板３、４に形成された取付孔３０、４０を介して螺合される第１の筒状体（内筒１）及び第２の筒状体（外筒２）と、前記内筒１に設けられ、且つ、室外側から前記取付孔３０に嵌合される嵌合部１３と、この嵌合部１３の室外側に形成された室外側フランジ部１０と、前記嵌合部１３の室内側に形成された雄ねじ部１０Ｂと、内筒１に配置されるレンズ系（レンズ１２０、１２１、１２２及び１２３）と、前記レンズ１２１とレンズ１２２によって区間される空間１６に連通される孔１７と、この孔１７を封止する封止部１７Ａと、前記空間１６に封止される防曇用のガス体１９を備えている。
以下、レンズ１２０及び１２１を「対物レンズ」と、レンズ１２２を「接眼レンズ」と、レンズ１２３を「広角レンズ」ともいう。
【００２８】
この実施形態に係る防犯レンズＡでは、前記ガス体１９を封止する封止部１７Ａの先端が、室内側端部１０Ａから室外側への視界を妨げないようにする必要があった。
この場合、肉薄の雄ねじ部１０Ｂより肉厚の前記嵌合部１３に孔を設けて、その孔に封止部としてのネジを螺着することが望ましい。前記雄ねじ部１０Ｂに孔を設けて、この孔をネジにより封止するとそのネジの先端が視界に入ってしまう恐れがある。
通常、嵌合部はその内側に前記レンズ１２０、１２１をセットできるような幅で、取付孔３０から室内側に突出しているが、この実施形態では嵌合部を室内側にさらに延出して、前記レンズ１２０、１２１と孔１７が干渉しないように、孔１７を設けるためのスペースを確保し、嵌合部１３を形成している。
【００２９】
前記空間１６は、レンズ１２１とレンズ１２２により気密性が備わっており、空間１６を湿度の低い雰囲気にすることがレンズ１２１とレンズ１２２の曇り防止に有効である。
【００３０】
前記孔１７は、前記空間１６から真空を引いた後、ガス体１９を注入することができる程度の径を備え、封止部１７Ａを螺着できるネジ山を備えている。
【００３１】
前記封止部１７Ａは、典型的にはネジで構成され、例えば通称「イモネジ」を用いればよい。
【００３２】
前記ガス体１９としては、前記空間１６を湿度の低い雰囲気に形成できるものであればどのようなものでもよく、この実施形態では「ドライチスト」（商品名）が用いられるが、その他、不活性の窒素、乾燥空気等でもよい。
また、前記ガス体１９は、前記空間１６に略１気圧又はそれよりも高い気圧で封入されていればよい。
【００３３】
以上のような構成の防犯レンズＡによれば、前記ガス体１９により、前記空間１６のレンズ１２１とレンズ１２２の防曇効果が発揮され、室外と室内の温度差が大きい場所に設置される防犯レンズに生じ易く、また、寒冷地等で発生し易いレンズの曇り防止し、新たな環境条件での仕様態様に合致させた防犯レンズとなっている。
【００３４】
なお、前記室外側フランジ部１０とキャップ１８が接する部分、例えば螺着部分又は／及びキャップ１８とレンズ１２３が接する部分をシーリングして防水性を高めてもよい。
さらに、シーリング部分のシール剤に代えて接着剤を用いることで防水性を高めると共に、前記室外側フランジ部１０とキャップ１８の固着、またはキャップ１８とレンズ１２３の固着を強固にすることができる。
このように防犯レンズＡの防水性を高めることで、レンズ１２３の空間１６Ａの曇りを防止することができ、またレンズ１２３の周囲又は前記レンズ１２０、レンズ１２１の周囲から前記空間１６に浸入してくる恐れがある湿気を遮断することができる。
【００３５】
この第１実施形態では、広角レンズ１２３が取付けられているが、この広角レンズ１２３を省いた防犯レンズ（図１１参照）、キャップ１８を省略した防犯レンズ（図７参照）に上記構成を用いても良いし、また、一枚ドア用の防犯レンズ（図１３参照）に上記構成を用いても良い。
【００３６】
また、上記各防犯レンズにつき、レンズ１２２とレンズ１２１間にスリーブ１５（図３参照）を配置してもよく、この構成ではスリーブ１５にも前記孔１７と同様な孔を形成する必要がある。
また、前記孔１７は前記嵌合部１３に設けたが、封止部１７Ａに用いる部材が、前記室内側端部１０Ａからの視野に入らなければ、前記雄ねじ部１０Ｂに設けてもよい。例えば上記スリーブ１５を配置する場合には、前記雄ねじ部１０Ｂの肉厚にスリーブ１５の肉厚がプラスされるので、前記雄ねじ部１０Ｂに前記孔１７を設けることができる。
【００３７】
（第２実施形態／塩害対策）
図３は第２実施形態に係る防犯レンズの縦中央片面断面図、図４は同防犯レンズの分解斜視図である。
第２実施形態に係る防犯レンズＢは、前記防犯レンズＡの前記孔１７、前記封止部１７Ａ及び前記ガス体１９を省略すると共に、前記キャップ１８に塗装１８０を施したものである。
【００３８】
塗装１８０の塗料としては、前記キャップ１８の素材、例えば真鍮に塗膜を形成できものであればよく、耐塩害用の塗料であればなお良い。
塗膜の色彩は、どのようなものでもよく、ドアの色彩に合わせることができる。
【００３９】
この実施形態では、前記キャップ１８に塗膜を形成しているが、前記内筒１の外面全体に塗膜を形成してもよく、さらに外筒２の外面全体に塗膜を形成してもよい。
また、この広角レンズ１２３を省いたキャップ付き防犯レンズの場合にも同様にキャップのみの塗膜でもよい。また、キャップを省いた防犯レンズの場合には室外側フランジ部のみでもよい。さらに上記各防犯レンズにおいて内筒の外面全体に、外筒の外面全体に塗膜を形成してもよい。
【００４０】
以上のような構成の防犯レンズＢによれば、室外側に露出している部分、即ち、キャップ１８等の下地部分への塩分の付着を前記塗膜１８０により避けることができ、海岸地方等の新たな環境条件での仕様態様に合致させた防犯レンズとなっている。
また、塗膜の色彩をドアの色彩に合わせることができ、防犯レンズに斬新性を与えることができる。
その他の構成及び効果は、前記防犯レンズＡと略同様である。
【００４１】
（第３実施形態／防水対策）
図５は第３実施形態に係る防犯レンズの縦中央片面断面図、図６は同防犯レンズの分解斜視図である。
第３実施形態に係る防犯レンズＣは、防犯レンズＢの塗膜１８０を省略すると共に、前記室外側フランジ部１０と前記ドア板３間に防水リング１００を配置したものである。
【００４２】
前記防水リング１００は、前記嵌合部１３を跨ぐように取付けられるリング状のもので、その内径は前記嵌合部１３の径に略等しく、その外径は前記内径に数ｍｍ程度の幅を加えればよく、最大外径は前記室外側フランジ１０の外径に略等しければよい。
前記防水リング１００の素材は弾性材であるゴムであるが、これに限定されるものでもない。
【００４３】
以上のような構成の防犯レンズＣによれば、ドア３の取付孔３０からドアの内部に浸入する雨水等を防ぐことができ、ドアの傷みを防ぐことができる。
また、前記防水リング１００が前記室外側フランジ１０と前記ドア板３間で圧着されているので、前記防水リング１００の摩擦力により室外側から前記内筒１が回し難くなっている。
その他の構成及び効果は、前記防犯レンズＢと略同様である。
【００４４】
（第４実施形態／回止対策）
図７は第４実施形態に係る防犯レンズの内筒の縦中央片面断面図である。
第４実施形態に係る防犯レンズＤは、防犯レンズＣの広角レンズ１２３、キャップ１８及び防水リング１００を省略すると共に、厚さが約１ミリメール〜約１．５ミリメールの室外側フランジ部１０と、入射面が前記室外側フランジ部１０の表面１０１と略面一に配置されている対物レンズ１２０を備えている。
【００４５】
室外側フランジ部１０の厚さＷが約１ミリメール〜約１．５ミリメールであれば、これを回す力を伝達し難く、内筒１自体が外し難くなっている。
また、室外側に露出する室外側フランジ部１０が薄くなっているので、塩害対策にも適合する。
さらに、対物レンズ１２０の入射面がドア３により近づくため、室内側端部１０Ａからの視界が広がる。
その他の構成及び効果は、前記防犯レンズＣと略同様である。
【００４６】
（第５実施形態／裏蓋対策）
図８は第５実施形態に防犯レンズの分解斜視図である。
第５実施形態に係る防犯レンズＥは、前記防犯レンズＣの防水リング１００を省略すると共に、前記外筒２の室内側端部１０Ａに取り付けられた取付枠２ａと、この取付枠に螺着されるネジ材２ｂを介して取付けられ、かつ、引寄せ可能なカバー１ａを備えている。
前記取付枠２ａは、弾性変形可能な材料、例えは鋼材をリボン状に加工し、その自由端の両端を対向起立させて前記ネジ材２ｂ用のネジ孔を形成したものである。
【００４７】
前記カバー１ａは、その上部にフック１ｃが形成され、このフック１ｃが前記ネジ２ｂに係着される。そして前記ネジ材２ｂの締付けにより、前記取付枠２ａが室内側端部１０Ａ或いはその近辺で固定され、前記カバー１ａがネジ材２ｂにより引寄せ（めくり）可能に支持されており、その下部には回転操作用の舌部１０ａが形成されている。
その他の構成及び効果は、前記防犯レンズＣと略同様である。
【００４８】
上記構成の防犯レンズＥは、室外側から室内の様子を窺うことはできないので防犯効果があるとともに、前記カバー１ａにより、室内側の温度が直接的にレンズ１２２に作用することを防ぐことが出来る点で、防犯レンズの曇り止め防止効果を発揮させることもできる。
さらに、ドアに既設されている防犯レンズに容易に後付けすることができる。
【００４９】
（第６実施形態／防曇対策＋防水対策）
次に図９及び図１０に基き、第６実施形態に係る防犯レンズＦの構成例を説明する。
この実施形態は、前記防犯レンズＡの前記室外側フランジ部１０の凹部１２に弾性シーリング材５Ａを配置すると共に、キャップ１８と広角レンズ１２３間にも弾性シーリング材５Ｂを配置した点に特徴がある。
【００５０】
前記弾性シーリング材５Ａとして、リング状のゴム５Ａが用いられており、このリング状ゴム５Ａは、前記室外側フランジ部１０の凹部１２の内周縁１２ａに嵌込まれる外縁５ａと、内筒１の筒口１１に対応する孔５０を備え、黒色に着色されている。
【００５１】
前記弾性シーリング材５Ｂとして、略Ｏリング状のゴム５Ｂが用いられており、このＯリング状ゴム５Ｂは、前記広角レンズ１２３の外縁１２３ａが当接する前記ギャップ１８の開口縁１８ａの裏面側に配置される。
【００５２】
前記ゴム５Ａ、５Ｂは、薄膜状の天然ゴム又は合成ゴムであるが、弾性を備えたシーリング材であれば、どのような材質でもよい。
【００５３】
前記ゴム５Ａ、５Ｂによれば、その弾性変形の作用により、広角レンズ１２３の出射面１２３ｂと凹部１２間で圧着され、前記ゴム５Ｂと共に二重の水密の機能が発揮される。
よって、前記凹部１２に浸入しようとする雨水等が阻止され、レンズ１２３の空間１６Ａの曇りを防止することができ、またレンズ１２３の周囲又は前記レンズ１２０、レンズ１２１の周囲から前記空間１６に浸入してくる恐れがある湿気を遮断することができる。
その他、従来のように広角レンズ１２３の出射面側の、前記凹部１２に接する部分の研磨及び艶消塗り（墨塗り）の手間を省くことができる、雨水等の浸入により前記ゴム５Ａ、５Ｂが色褪せることがない、という効果を奏する。
その他の構成は上記実施形態に係る防犯レンズＡと略同一であるので、同一の作用効果を奏する。
【００５４】
（第７〜第９実施形態／防曇対策＋裏蓋対策）
次に図１１に基き、第７実施形態に係る防犯レンズＧの構成例を説明する。
図１１に示した防犯レンズＧは、前記防犯レンズＡの室内側端部１０Ａの覗き窓１１Ａを覆うカバー１ａと、このカバー１ａを前記室内側端部１０Ａに取付けるための取付枠２ａを設けた点に特徴がある。
前記取付枠２ａは、前記室内側端部１０Ａの外周に圧着可能な圧着片２０ａと、この圧着片２０ａの圧着力を調整する調整部２１ａからなる。
そして前記カバー１ａは、前記調整部２１ａにネジ止めされる止着具３ａにより回転可能に支持されており、その下部には回転操作用の舌部１０ａが形成されている。
【００５５】
前記圧着片２０ａと調整部２１ａは、圧着片２０ａがウォームホイールに、調整部２１ａがウォームギアに相当するもので、調整部２１ａを構成するギア２１０ａを回転させることにより、前記室内側端部１０Ａに対する圧着力を調整できるようになっている。
【００５６】
前記カバー１ａは、前記止着具３ａにより左右方向に振分けられるようになっているが、前記止着具３ａに代えてヒンジ手段により、ドア３Ａに対して手前方向に開閉できるようにしても良い。
また、前記舌部１０ａの形状は、居住者が把持し易いように下方向に長めに形成してもよい。
【００５７】
上記構成の防犯レンズＧは、室外側から室内の様子を窺うことはできないので防犯効果があるとともに、前記カバー１ａにより、室内側の温度が直接的にレンズ１２２に作用することを防ぐことが出来る点で、防犯レンズの曇り止め防止効果を発揮させることもできる。
その他の構成は上記実施形態に係る防犯レンズＡと略同一であるので、同一の作用効果を奏する。
【００５８】
次に図１２に基き、第８実施形態に係る防犯レンズＨの構成例を説明する。
防犯レンズＨは、取付枠２ｄの圧着片２０ｄとして、弾性材としてのゴム、プラスチック等の合成樹脂をリング状に成形し、カバー１ｄを回転可能に支持するネジ３ｄ自体を支持部としたものである。
その他の構成は、上記各防犯レンズと同様であり、同一の作用効果を奏する。
【００５９】
次に、図１３に基き、第９実施形態に係る防犯レンズＩの構成例を説明する。
この防犯レンズＩは、その中心部を開口させた円盤状の取付枠２ｅと、該取付枠２ｅの開口２１ｅの縁から立ち上げられて円筒状に形成され、且つ、前記室内側端部１０Ａの内周１００ａに取付可能な圧着片２０ｅと、カバー１ｅを回転可能に支持する支持部としてのリベット、ネジ３ｅを備えている。
前記取付枠２ｅの直径は、前記室内側端部１０Ａの覗き窓１１Ａを覆うカバー１ｅの直径よりも、若干大きめに形成されている。
前記円筒状の圧着片２０ｅの外径は、前記室内側端部１０Ａの内周１００ａに密着して、その内周１００ａを圧着できるサイズに形成されている。
これらの取付枠２ｅと圧着片２０ｅは、プラスチック等の合成樹脂により一体成形されているが、その材料は合成樹脂に限定されるものではない。
【００６０】
この取付枠２ｅを前記室内側端部１０Ａに取付けるには、前記円筒状の圧着片２０ｅを前記室内側端部１０Ａの内周１００ａに向けて押込むか、螺着してもよい。
その他の構成は、上記各実施形態と同様であり、同一の作用効果を奏する。
【００６１】
図１４には、図１３に示した取付枠２ｅと圧着片２０ｅの変形例が示されており、その変形個所は、取付枠２ｅの同心円状に、室内側に凹んだ溝２２ｅを形成したところである。
この同心円状の溝２２ｅが前記室内側端部１０Ａに当接されることで、前記圧着片２０ｅに外側方向に力が作用し、前記圧着片２０ｅがより強く内周１００ａを圧着するようになる。よって、取付枠２ｅが前記室内側端部１０Ａから抜け難くなっている。
【００６２】
その他、上記各カバー１ａ、１ｄ、１ｅ等の室内側の面に蛍光顔料（蛍光物質）が含有された蛍光塗料５ｂを面４ａに塗布してもよい。
蛍光塗料は、反射される光と同位相の光がプラスされて光が増幅されるように作用することが知られており、輝度が高まる。
よって、前記カバー１ａ等の位置を視認し易くなり、室内側端部１０Ａの覗き窓１１Ａの位置を把握しやすい防犯レンズを提供できる。
蛍光顔料（蛍光物質）が用いられるものであれば、蛍光塗料に限定されることはなく、蛍光テープを前記カバー１ａの面４ａに貼ってもよい。
なお、蛍光塗料５ｂの塗布範囲や蛍光テープの貼布範囲は任意であって、例えば前記カバー１ａの面４ａの中心や、面４ａの外縁でもよい。さらに前記内筒１の内面全体に蛍光塗料５ｂ等を塗布してもよい。
また、上記各カバー１ａ、１ｄ、１ｅ等の室内側面に鏡を取付けてもよい。
居住者は玄関等の灯りを点灯せずに、カバーの室内側面の鏡からの光によりカバーの所在、ひいては防犯レンズの位置を視認することができる。
よって、訪問者が防犯レンズを介して室内側の居住者の動きや室内の様子を察知することができず、居住者にとっては安心であり、防犯効果がさらに高まる。
【００６３】
また、前記カバー１ａの室内側面に、蛍光塗料５ｂに代えて蓄光顔料が含まれている蓄光塗料を塗布してもよい。
蓄光塗料は、太陽光又は人口照明の光のエネルギーが蓄えられて、暗闇でも一定時間、発光するものである。
よって、前記蛍光塗料５ｂと略同様に機能することが期待でき、前記カバー１ａの位置を視認し易くなり、室内側端部１０Ａの覗き窓１１Ａの位置を把握しやすい防犯レンズを提供できる。
蓄光顔料（蓄光物質）が用いられるものであれば、蓄光塗料に限定されることはなく、蓄光テープを前記カバー１ａの面４ａに貼ってもよい。
その他の構成及び効果は、上記各実施形態と同様である。
【００６４】
（第１０実施形態／防曇対策＋塩害対策）
前記防犯レンズＡの室外側に露出する部分、即ち前記キャップ１８に塗装１８０を施することにより、防曇対策に塩害対策を加えることができる。
その他の構成及び効果は、上記各実施形態と同様である。
【００６５】
（第１１実施形態／防曇対策＋回止対策）
第１実施形態に係る防犯レンズＡについて、厚さが約１ミリメール〜約１．５ミリメールの室外側フランジ部１０と、入射面が前記室外側フランジ部１０の表面１０１と略面一に配置されている対物レンズ１２０を備えることで、防曇対策に回止対策を加えることができる。
その他の構成及び効果は、上記各実施形態と同様である。
【００６６】
（第１２実施形態／回止対策）
次に図１５及び図１６に基き、第１２実施形態に係る防犯レンズＪの構成例を説明する。
この防犯レンズＪは、防犯レンズＣの広角レンズ１２３、キャップ１８及び防水リング１００を省略すると共に、前記室外側フランジ部１０と前記ドア板３間に第１の空転リング６及びこの第１の空転リング６を空転させる第２の空転リング７を配置している。なお、図１５及び図１６においてはレンズ系の図示を省略している。
第１の空転リング６は、その内径が前記第２の空転リング７の外径の外周面を滑るようなサイズに形成され、その外径が前記室外側フランジ部１０の室外側周面の端部１０ａから連続するテーパ面を形成できるサイズに形成され、前記端部１０ａは、第１の空転リング６に形成されている面取により安定的に載置されている。
前記第２の空転リング７は、前記内筒１の嵌合部１３を跨いでその嵌合部１３に取付けられ、前記嵌合部１３に取付可能な内径を備え、その外径は、前記室外側フランジ部１０の端部１０ａより小さなサイズに形成されている。
この第２の空転リング７の厚さは、前記第１の空転リング６よりも若干肉厚に形成されており、前記室外側フランジ部１０と前記ドア板３間に第１の空転リング６及び第２の空転リング７を配置した場合に、空転リング７がドア板３と室外側フランジ部１０で圧着されても、前記第１の空転リング６が空回りできるようにしている。
なお、図１５及び図１６において、符号「１３０」は内筒１の回止機構を構成する切欠である。
この第１２実施形態に係る防犯レンズＪによれば、前記第１の空転リング６をスパナ等の冶具で掴み、回しても第１の空転リング６のみが空回りするのみで、室外側フランジ部１０が同調して回ることはなく、回止対策になっている。その他の構成及び効果は、上記各実施形態と同様である。
【００６７】
（第１３実施形態／回止対策）
次に図１７及び図１８に基き、第１３実施形態に係る防犯レンズＫの構成例を説明する。
この実施形態は、防犯レンズＣの広角レンズ１２３、キャップ１８及び防水リング１００を省略すると共に、前記室外側フランジ部１０と前記ドア３間に空転リング６を配置し、一方、この空転リング６を空転させる空転リング部１３１を前記嵌合部１３に形成している。なお、図１７及び図１８においてはレンズ系の図示を省略している。
前記空転リング６は、その内径が前記空転リング部１３１の外周面を空回り可能なサイズに形成されている。その他の構成は前記防犯レンズＪの第１の空転リング６と同様に形成されている。
前記空転リング部１３１は、前記嵌合部１３が室外側フランジ部１０に接する部分を円柱状の段状に形成されたものであり、その径は前記室外側フランジ部１０の端部１０ａより小さなサイズに形成されている。
前記空転リング部１３１の厚さは、前記第２の空転リング７と同様に、前記空転リング６よりも若干肉厚に形成されており、前記室外側フランジ部１０と前記ドア板３間に空転リング６を配置した場合に、前記空転リング６が空回りできるようにしている。
この防犯レンズＫによれば、上記防犯レンズＪに比べ、部品点数が少ないことから、ドアに対する防犯レンズＫの取付が容易になる。その他の構成は前記防犯レンズＪと同様であり、同様な効果を奏する。
【００６８】
（第１４実施形態／防曇対策＋回止対策）
第１実施形態に係る防犯レンズＡについて、前記室外側フランジ部１０と前記ドア板３間に第１の空転リング６及びこの第１の空転リング６を空転させる第２の空転リング７を配置することで、防曇対策に回止対策を加えることができる。
また、前記室外側フランジ部１０に前記空転リング部１３１を形成しても同様である。
その他の構成及び効果は、上記各実施形態と同様である。
【００６９】
（第１５実施形態／回止対策）
既存の防犯レンズに、第１の空転リング６及びこの第１の空転リング６を空転させる第２の空転リング７を配置することで、すでにドアに設置されている防犯レンズに回止対策を加えることができる。
【００７０】
（第１６実施形態／回止対策）
次に図１９及び図２０に基き、第１６実施形態に係る防犯レンズＬの構成例を説明する。
この防犯レンズＬは、防犯レンズＣの広角レンズ１２３、キャップ１８及び防水リング１００を省略すると共に、前記室外側フランジ部１０と前記ドア板３間に第１の空転リング６ａ及びこの第１の空転リング６ａを空転させる第２の空転リング７ａを配置すると共に、前記第１の空転リング６ａにフック部６０を形成している。なお、図１９及び図２０においてはレンズ系の図示を省略している。
第１の空転リング６ａは、前記第１の空転リング６の一部を延出してフック状に形成したフック部６０を設けたものである。
このフック部６０の形成方法としては、プレス加工によりリングと一体成形する方法、フック部６０とリングを溶着する方法等がある。
前記第２の空転リング７ａは、前記第２の空転リング７と同様に構成され、その他の構成は、上記各実施形態と同様である。
この第１６実施形態に係る防犯レンズＬによれば、前記第１の空転リング６ａをスパナ等の冶具で掴み回しても空回りするのみで、室外側フランジ部１０が同調して回ることはなく、また、室外側フランジ部１０自体を把持することは極めて困難であって、回止対策になっている。その他の構成及び効果は、上記各実施形態と同様である。また、前記フック部６０に表札、メモ、季節毎の装飾品、例えばクリスマス時のリース、正月飾り等を取付けることができる。
【００７１】
（第１７実施形態／回止対策）
次に図２１及び図２２に基き、第１７実施形態に係る防犯レンズＭの構成例を説明する。
この実施形態は、防犯レンズＣの広角レンズ１２３、キャップ１８及び防水リング１００を省略すると共に、前記室外側フランジ部１０と前記ドア３間に空転リング６ｂ配置し、一方、この空転リング６ｂを空転させる空転リング部１３１ｂを前記嵌合部１３に形成している。
前記空転リング６ｂは、前記第１の空転リング６ａと同様に構成されており、前記空転リング部１３１ｂも前記第１３実施形態の前記空転リング部１３１と同様に構成され、その他の構成は、上記各実施形態と同様である。
この防犯レンズＭによれば、上記防犯レンズＫと同様な効果を奏すると共に、前記フック部６０に表札、メモ、季節毎の装飾品、例えばクリスマス時のリース、正月飾り等を取付けることができる。
【００７２】
（第１８実施形態／防曇対策＋回止対策）
第１実施形態に係る防犯レンズＡについて、前記室外側フランジ部１０と前記ドア板３間に第１の空転リング６ａ及びこの第１の空転リング６ａを空転させる第２の空転リング７ａを配置することで、防曇対策に回止対策を加えることができる。
また、前記防犯レンズＡの室外側フランジ部１０に前記空転リング部１３１ｂを形成し、ここに前記空転リング６ｂを配置しても同様である。
その他の構成及び効果は、上記各実施形態と同様である。
【００７３】
（第１９実施形態／回止対策）
既存の防犯レンズに、第１の空転リング６ａ及びこの第１の空転リング６ａを空転させる第２の空転リング７ａを配置することで、すでにドアに設置されている防犯レンズに回止対策を加えることができる。
【００７４】
（第２０実施形態／回止対策）
次に図２３及び図２４に基き、第２０実施形態に係る防犯レンズＮの構成例を説明する。
この防犯レンズＮは、防犯レンズＣの広角レンズ１２３、キャップ１８及び防水リング１００を省略すると共に、前記室外側フランジ部１０と前記ドア板３間に第１の空転リング６ｃ及びこの第１の空転リング６ｃを空転させる第２の空転リング７ｃを配置すると共に、前記第１の空転リング６ｃにフック部６１及びプレート部６２を形成している。なお、図２３及び図２４においてはレンズ系の図示を省略している。
第１の空転リング６ｃは、前記第１の空転リング６ａのフック部６０を更に引き伸ばしてフック部６１とする共に、そのフック部６１にプレート部６２を取付けたものである。
このプレート部６２は、フック部６１と共にプレス加工により一体成形してもよいし、プレート部６２をフック部６１に溶着してもよい。
前記第２の空転リング７ｃは、前記第２の空転リング７ａと同様に構成され、その他の構成は、上記各実施形態と同様である。
この第２０実施形態に係る防犯レンズＮによれば、上記の各回止対策と同様な作用効果を奏する共に、前記フック部６０に季節毎の装飾品、例えばクリスマス時のリース、正月飾り等を取付けることができ、さらにプレート部６２に表札、メモ等を貼付けたり、彫刻等することができる。
【００７５】
（第２１実施形態／回止対策）
前記防犯レンズＭの前記空転リング６ｂを上記第１の空転リング６ｃと同様に構成してもよく、この場合も上記防犯レンズＮと同様の作用効果を奏する。
【００７６】
（第２２実施形態／防曇対策＋回止対策）
第１実施形態に係る防犯レンズＡについて、前記室外側フランジ部１０と前記ドア板３間に第１の空転リング６ｃ及びこの第１の空転リング６ｃを空転させる第２の空転リング７ｃを配置することで、防曇対策に回止対策を加えることができる。
また、前記防犯レンズＡの室外側フランジ部１０に前記空転リング部１３１を形成し、ここに前記空転リング６ｃを配置しても同様である。
その他の構成及び効果は、上記各実施形態と同様である。
【００７７】
（第２３実施形態／回止対策）
既存の防犯レンズに、第１の空転リング６ｃ及びこの第１の空転リング６ｃを空転させる第２の空転リング７ｃを配置することで、すでにドアに設置されている防犯レンズに回止対策を加えることができる。
【００７８】
（第２４実施形態／回止対策）
次に図２５及び図２６に基き、第２４実施形態に係る防犯レンズＯの構成例を説明する。
この防犯レンズＯは、防犯レンズＣの広角レンズ１２３、キャップ１８及び防水リング１００を省略すると共に、前記室外側フランジ部１０と前記ドア板３間に第１の空転リング６ｄ及びこの第１の空転リング６ｄを空転させる第２の空転リング７ｄを配置すると共に、前記第１の空転リング６ｄに装飾部６３を形成している。なお、図２５及び図２６においてはレンズ系の図示を省略している。
第１の空転リング６ｄの装飾部６３は、前記第１の空転リング６のリング外周を、草花模様等のレリーフ調に装飾したもので、前記第２の空転リング７ｄは、前記第２の空転リング７ａと同様に構成され、その他の構成は、上記各実施形態と同様である。前記装飾部６３の構成はレリーフ調に限定されるものではなく、草花模様等の外形にペイトン塗装、印刷してもよい。
この第２４実施形態に係る防犯レンズＯによれば、上記の各回止対策と同様な作用効果を奏する共に、装飾部６３が防犯レンズをカモフラージュすることができる。
【００７９】
（第２５実施形態／回止対策）
前記防犯レンズＭの前記空転リング６ｂを上記第１の空転リング６ｄと同様に構成してもよく、この場合も上記防犯レンズＯと同様の作用効果を奏する。
【００８０】
（第２６実施形態／防曇対策＋回止対策）
第１実施形態に係る防犯レンズＡについて、前記室外側フランジ部１０と前記ドア板３間に第１の空転リング６ｄ及びこの第１の空転リング６ｄを空転させる第２の空転リング７ｄを配置することで、防曇対策に回止対策を加えることができる。
また、前記防犯レンズＡの室外側フランジ部１０に前記空転リング部１３１を形成し、ここに前記空転リング６ｄを配置しても同様である。
その他の構成及び効果は、上記各実施形態と同様である。
【００８１】
（第２７実施形態／回止対策）
既存の防犯レンズに、第１の空転リング６ｄ及びこの第１の空転リング６ｄを空転させる第２の空転リング７を配置することで、すでにドアに設置されている防犯レンズに回止対策を加えることができる。
【００８２】
（第２８実施形態／回止対策）
次に図２７及び図２８に基き、第２４実施形態に係る防犯レンズＰの構成例を説明する。
この防犯レンズＰは、防犯レンズＣの広角レンズ１２３、キャップ１８及び防水リング１００を省略すると共に、前記室外側フランジ部１０と前記ドア板３間に第１の空転リング６ｅ及びこの第１の空転リング６ｅを空転させる第２の空転リング７ｅを配置すると共に、前記第１の空転リング６ｅに装飾部６３を形成し、且つ、装飾部６３の一端からフック部６４を設けている。なお、図２７及び図２８においてはレンズ系の図示を省略している。
第１の空転リング６ｅの装飾部６３は、前記装飾部６３と同様に構成され、フック部６４は、前記フック部６０と同様に構成され、前記第２の空転リング７ｅは、前記第２の空転リング７ａと同様に構成され、その他の構成は、上記各実施形態と同様である。
この第２４実施形態に係る防犯レンズＰによれば、上記の各回止対策と同様な作用効果を奏する。
【００８３】
（第２９実施形態／回止対策）
前記防犯レンズＭの前記空転リング６ｂを上記第１の空転リング６ｅと同様に構成してもよく、この場合も上記各防犯レンズと同様の作用効果を奏する。
【００８４】
（第３０実施形態／防曇対策＋回止対策）
第１実施形態に係る防犯レンズＡについて、前記室外側フランジ部１０と前記ドア板３間に第１の空転リング６ｅ及びこの第１の空転リング６ｅを空転させる第２の空転リング７ｅを配置することで、防曇対策に回止対策を加えることができる。
また、前記防犯レンズＡの室外側フランジ部１０に前記空転リング部１３１を形成し、ここに前記空転リング６ｅを配置しても同様である。
その他の構成及び効果は、上記各実施形態と同様である。
【００８５】
（第３１実施形態／回止対策）
既存の防犯レンズに、第１の空転リング６ｅ及びこの第１の空転リング６ｅを空転させる第２の空転リング７ｅを配置することで、すでにドアに設置されている防犯レンズに回止対策を加えることができる。
【００８６】
（第３２実施形態／回止対策）
次に図２９及び図３０に基き、第３２実施形態に係る防犯レンズＱの構成例を説明する。
この防犯レンズＱは、防犯レンズＣの広角レンズ１２３、キャップ１８及び防水リング１００を省略すると共に、前記室外側フランジ部１０と前記ドア板３間に第１の空転リング６ｆ及びこの第１の空転リング６ｆを空転させる第２の空転リング７ｆを配置すると共に、前記第１の空転リング６ｆにプレート部６５を形成している。なお、図２９及び図３０においてはレンズ系の図示を省略している。
前記プレート部６５は、第１の空転リング６ｆと共に、プレス加工により一体成形してもよいし、プレート部６２をリングに溶着してもよい。
前記第２の空転リング７ｆは、前記第２の空転リング７ａと同様に構成され、その他の構成は、上記各実施形態と同様である。
この第３２実施形態に係る防犯レンズＱによれば、上記の各回止対策と同様な作用効果を奏する共に、前記プレート部６５に表札、メモ等を貼付けたり、彫刻等することができる。
【００８７】
（第３３実施形態／回止対策）
前記防犯レンズＭの前記空転リング６ｂを上記第１の空転リング６ｆと同様に構成してもよく、この場合も上記各防犯レンズと同様の作用効果を奏する。
【００８８】
（第３４実施形態／防曇対策＋回止対策）
第１実施形態に係る防犯レンズＡについて、前記室外側フランジ部１０と前記ドア板３間に第１の空転リング６ｆ及びこの第１の空転リング６ｆを空転させる第２の空転リング７ｆを配置することで、防曇対策に回止対策を加えることができる。
また、前記防犯レンズＡの室外側フランジ部１０に前記空転リング部１３１を形成し、ここに前記空転リング６ｆを配置しても同様である。
その他の構成及び効果は、上記各実施形態と同様である。
【００８９】
（第３５実施形態／回止対策）
既存の防犯レンズに、第１の空転リング６ｆ及びこの第１の空転リング６ｆを空転させる第２の空転リング７ｆを配置することで、すでにドアに設置されている防犯レンズに回止対策を加えることができる。
【００９０】
（第３６実施形態／回止対策）
次に図３１及び図３２に基き、第３６実施形態に係る防犯レンズＲの構成例を説明する。
この防犯レンズＲは、防犯レンズＣの広角レンズ１２３、キャップ１８及び防水リング１００を省略すると共に、前記室外側フランジ部１０と前記ドア板３間に第１の空転リング６ｇ及びこの第１の空転リング６ｇを空転させる第２の空転リング７ｇを配置すると共に、前記第１の空転リング６ｇに装飾部６６及びプレート部６７形成している。なお、図３１及び図３２おいてはレンズ系の図示を省略している。
装飾部６６は前記装飾部６３と同様に構成され、プレート部６７は、前記装飾部６６と共に、プレス加工により一体成形してもよいし、装飾部６６に溶着してもよい。
前記第２の空転リング７ｇは、前記第２の空転リング７ａと同様に構成され、その他の構成は、上記各実施形態と同様である。
この第３６実施形態に係る防犯レンズＲよれば、上記の各回止対策と同様な作用効果を奏する。
【００９１】
（第３７実施形態／回止対策）
前記防犯レンズＭの前記空転リング６ｂを上記第１の空転リング６ｇと同様に構成してもよく、この場合も上記各防犯レンズと同様の作用効果を奏する。
【００９２】
（第３８実施形態／防曇対策＋回止対策）
第１実施形態に係る防犯レンズＡについて、前記室外側フランジ部１０と前記ドア板３間に第１の空転リング６ｇ及びこの第１の空転リング６ｇを空転させる第２の空転リング７ｇを配置することで、防曇対策に回止対策を加えることができる。
また、前記防犯レンズＡの室外側フランジ部１０に前記空転リング部１３１を形成し、ここに前記空転リング６ｇを配置しても同様である。
その他の構成及び効果は、上記各実施形態と同様である。
【００９３】
（第３９実施形態／回止対策）
既存の防犯レンズに、第１の空転リング６ｇ及びこの第１の空転リング６ｇを空転させる第２の空転リング７ｇを配置することで、すでにドアに設置されている防犯レンズに回止対策を加えることができる。
【００９４】
前記装飾部６６付きの空転リング６ｇにフック部６４を組み合せてもよい。
【００９５】
その他、上記防曇対策、塩害対策、防水対策、回止対策及び裏蓋対策の各構成の組合わせは任意であって、防犯レンズの設置環境に応じて取捨選択して組合わせることができる。
例えば、第２実施形態に係る防犯レンズＢの前記室外側フランジ部１０の凹部１２に弾性シーリング材５Ａを配置すると共に、キャップ１８と広角レンズ１２３間にも弾性シーリング材５Ｂを配置してもよい。また前記室外側フランジ部１０と前記ドア板３間に防水リング１００を配置したものでもよい。このような構成により、塩害対策に防水対策を加えることができる。
また、例えば、防曇対策と塩害対策と防水対策と回止対策と裏蓋対策の各構成を組み合わせてものでもよいし、塩害対策と防水対策と回止対策と裏蓋対策の各構成、防水対策と回止対策と裏蓋対策の各構成、回止対策と裏蓋対策の各構成、防曇対策と防水対策と回止対策と裏蓋対策の各構成を組み合わせてものでもよい。
その他、上記各対策の各構成は、上述のように広角レンズ１２３が取付けられている防犯レンズＡのほか、このレンズを省いた防犯レンズ（図１１参照）、キャップ１８を省略した防犯レンズ（図７参照）、また、一枚ドア用の防犯レンズ（図１３参照／公団用）に用いても良い。
【図面の簡単な説明】
【００９６】
【図１】第１実施形態に係る防犯レンズの縦中央片面断面図、
【図２】同防犯レンズの分解斜視図、
【図３】第２実施形態に係る防犯レンズの縦中央片面断面図、
【図４】同防犯レンズの分解斜視図、
【図５】第３実施形態に係る防犯レンズの縦中央片面断面図、
【図６】同防犯レンズの分解斜視図、
【図７】第４実施形態に係る防犯レンズの内筒の縦中央片面断面図、
【図８】第５実施形態に係る防犯レンズの分解斜視図、
【図９】第６実施形態に係る防犯レンズの縦中央片面断面図、
【図１０】同防犯レンズの分解斜視図、
【図１１】第７実施形態に係る防犯レンズの分解斜視図、
【図１２】第８実施形態に係る防犯レンズの要部分解斜視図、
【図１３】第９実施形態に係る防犯レンズの分解斜視図、
【図１４】（Ａ）（Ｂ）  同実施形態に係るカバーの正面図、断面図、
【図１５】第１２実施形態に係る防犯レンズの縦中央片面断面図、
【図１６】同防犯レンズの分解斜視図、
【図１７】第１３実施形態に係る防犯レンズの縦中央片面断面図、
【図１８】同防犯レンズの分解斜視図、
【図１９】第１６実施形態に係る防犯レンズの縦中央片面断面図、
【図２０】同防犯レンズの分解斜視図、
【図２１】第１７実施形態に係る防犯レンズの縦中央片面断面図、
【図２２】同防犯レンズの分解斜視図、
【図２３】第２０実施形態に係る防犯レンズの縦中央片面断面図、
【図２４】同防犯レンズの分解斜視図、
【図２５】第２４実施形態に係る防犯レンズの縦中央片面断面図、
【図２６】同防犯レンズの分解斜視図、
【図２７】第２８実施形態に係る防犯レンズの縦中央片面断面図、
【図２８】同防犯レンズの分解斜視図、
【図２９】第３２実施形態に係る防犯レンズの縦中央片面断面図、
【図３０】同防犯レンズの分解斜視図、
【図３１】第３６実施形態に係る防犯レンズの縦中央片面断面図、
【図３２】同防犯レンズの分解斜視図である。
【符号の説明】
【００９７】
１  内筒
１ａ  １ｄ  １ｅ  カバー
２  外筒
２ａ  ２ｄ  ２ｅ  取付枠
２０ａ  ２０ｄ  ２０ｅ  圧着片
２１ｅ  開口
２２ｅ  溝
３ａ  ３ｄ  ３ｅ  ピン
１０ａ  １０ｄ  １０ｅ  舌部
１０  室外側フランジ部
１０Ａ  室内側端部
１１  筒口
１２  凹部                            １２ａ  凹部の内周縁
１３  嵌合部
１４  ストッパ片
１５  スリーブ
１６  空間
１７  孔
１７Ａ  封止部
１８  キャップ
１９  ガス体
１００ａ  内周
３  室外側ドア板                      ３０  取付孔
４  室内側ドア板                      ４０  取付孔
５Ａ  ゴム                            ５Ｂ  ゴム
５０  孔
１００  防水リング                    １０１  表面
１２３  広角レンズ
１８０  塗料（塗膜）
６  第１の空転リング
７  第２の空転リング
１３０  切欠
１３１  空転リング部
６０  ６１  ６４  フック部
６２  ６５    ６７  プレート部
６３  ６６  装飾部
【図１】
2008019551.tif 000003
【図２】
2008019551.tif 000004
【図３】
2008019551.tif 000005
【図４】
2008019551.tif 000006
【図５】
2008019551.tif 000007
【図６】
2008019551.tif 000008
【図７】
2008019551.tif 000009
【図８】
2008019551.tif 000010
【図９】
2008019551.tif 000011
【図１０】
2008019551.tif 000012
【図１１】
2008019551.tif 000013
【図１２】
2008019551.tif 000014
【図１３】
2008019551.tif 000015
【図１４】
2008019551.tif 000016
【図１５】
2008019551.tif 000017
【図１６】
2008019551.tif 000018
【図１７】
2008019551.tif 000019
【図１８】
2008019551.tif 000020
【図１９】
2008019551.tif 000021
【図２０】
2008019551.tif 000022
【図２１】
2008019551.tif 000023
【図２２】
2008019551.tif 000024
【図２３】
2008019551.tif 000025
【図２４】
2008019551.tif 000026
【図２５】
2008019551.tif 000027
【図２６】
2008019551.tif 000028
【図２７】
2008019551.tif 000029
【図２８】
2008019551.tif 000030
【図２９】
2008019551.tif 000031
【図３０】
2008019551.tif 000032
【図３１】
2008019551.tif 000033
【図３２】
2008019551.tif 000034